(57)【要約】      （修正有）【課題】直接手で持つこと無く、演奏することができる楽器を提供する。【解決手段】楽器２０には、第一挟持部材４２及び第二挟持部材４４が備えられており、第一挟持部材４２と第二挟持部材４４が互いに磁力で引き合うことで主楽器の壁面を挟持することにより、楽器２０を容易に主楽器の壁面に取り付ける。主楽器１０を演奏すると、演奏による振動が楽器２０に伝わり、楽器２０の音発生部３０に収納された粒状体３２同士又は、粒状体３２と音発生部３０とが衝突し、音が発生する。【選択図】図２
2017003679.tif 000002
【特許請求の範囲】
【請求項１】
演奏に伴って筐体が振動する主楽器に取り付けて用いられる楽器であって、
複数の粒状体が内部に収納され、前記粒状体と壁面とが衝突することで音が生じる音発生部と、
前記筐体の一部を着脱可能に挟持し、前記筐体の振動を前記音発生部に伝達する挟持部と、
を備えたことを特徴とする、
楽器。
【請求項２】
前記挟持部は、第一挟持部材と第二挟持部材とからなり、
前記第一挟持部材と前記第二挟持部材とが、磁力で互いに引き合うことで、前記筐体を挟持することを特徴とする、
請求項１に記載の楽器。
【請求項３】
前記第一挟持部材と前記第二挟持部材との間には、金属製の位置決部材が位置することを特徴とする、
請求項２に記載の楽器。
【請求項４】
前記音発生部は、前記音発生部に収納された複数の前記粒状体が視認できる素材からなることを特徴とする、
請求項１から３のいずれか１項に記載の楽器。
【請求項５】
前記音発生部は、全体が同一の材質により形成されていることを特徴とする、
請求項１から４のいずれか１項に記載の楽器。
【請求項６】
複数の前記粒状体は、大きさ又は形状の異なる少なくとも２種類以上の粒状体からなることを特徴とする、
請求項１から５のいずれか１項に記載の楽器。
【発明の詳細な説明】
【技術分野】
【０００１】
本発明は、楽器に関する。
【背景技術】
【０００２】
従来から、内部に封入された粒状体を振動させて音を出すシェイカーが知られている。このシェイカーは様々な形が知られており、例えば、特許文献１には、勾玉形状のマラカスが記載されている。このマラカスは、勾玉形状とすることで、音を止めたり出したりすることを可能としている。
【先行技術文献】
【特許文献】
【０００３】
【特許文献１】特開２００４−１３１４７号公報
【発明の概要】
【発明が解決しようとする課題】
【０００４】
ところで、近年は、一人の演奏家が多彩な表現をすることが可能な楽器が求められている。例えば、ギターとハーモニカ等の組み合わせであれば、一人の演奏家であっても、同時に演奏し、多彩な表現を演出することができる。
【０００５】
しかしながら、従来のシェイカーを演奏する場合には、シェイカーを手で持って利用するため、同時に他の楽器を使用することが困難であるという課題がある。
【０００６】
本発明は、このような課題に鑑みなされたものであり、他の楽器と同時に使用することができ、一人でも幅広く、多彩な演出が可能な楽器を提供することを主目的とする。
【課題を解決するための手段】
【０００７】
本発明は、上述の主目的の少なくとも１つを達成するために以下の手段を採った。
【０００８】
本発明の楽器は、
演奏に伴って筐体が振動する主楽器に取り付けて用いられる楽器であって、
複数の粒状体が内部に収納され、前記粒状体と壁面とが衝突することで音が生じる音発生部と、
前記筐体の一部を着脱可能に挟持し、前記筐体の振動を前記音発生部に伝達する挟持部と、
を備えたことを特徴とするものである。
【０００９】
この楽器は、主楽器の筐体の一部を挟持することにより、主楽器の筐体に固定することができる。こうすることにより、楽器を演奏する際に演奏者が持つ必要が無い。このため、主楽器を演奏すると同時に、この楽器を保持することができる。加えて、主楽器の演奏する際、主楽器の筐体を振動させることで、この振動が筐体を挟持する挟持部を介して音発生部に伝わり、音発生部の中に収納された粒状体も振動することになる。そして、この粒状体同士、又は粒状体と壁面と衝突し音が生じる。こうすることにより、主楽器を演奏する際に、同時に本発明の楽器も演奏することができる。言い換えると、複数の楽器を同時に演奏することができるため、多彩な表現を演出することができる。更に、例えば、主楽器の壁面に振動を与えることで、この楽器に振動を与えた場合には、シェイカー等を直接手で持って振る場合と比較して、より細かな周期で振動させることができる。こうすることにより、従来のシェイカーでは表現できなかった新たな表現を可能にすることができる。
【００１０】
本発明の楽器において、前記挟持部は、一対の第一挟持部材と第二挟持部材とからなり、前記第一挟持部材と前記第二挟持部材とが、磁力で互いに引き合うことで、前記筐体を挟持することを特徴としてもよい。こうすることにより、主楽器の筐体を挟持する際に、第一挟持部材と第二挟持部材を近づけることで、簡単に挟持することができる。また、磁力によって挟持することにより、挟持した後であっても容易に場所を変更することができるため、挟持場所を移動することで、容易に音色を変えることができる。言い換えると、主楽器を傷つけることなく取り付け可能であり、演奏の際の表現をより膨らませることができる。
【００１１】
本発明の楽器において、前記第一挟持部材と前記第二挟持部材との間には、金属製の位置決部材を有することを特徴としてもよい。こうすることにより、挟持する前に、挟持位置を決定することができる。加えて、挟持した後に取り外す際には、この位置決部材を取り外すことにより、第二挟持部材を容易に取り外すことができる。
【００１２】
本発明の楽器において、前記音発生部は、前記音発生部に収納された複数の前記粒状体が視認できることを特徴としてもよい。こうすることにより、音を鳴らす際、粒状体が移動することを外部から視認することができるため、音による表現に加え、視覚的な演出を追加することができる。
【００１３】
本発明の楽器において、前記音発生部は、全体が同一の材質により形成されていることを特徴としてもよい。こうすることにより、音発生部のどの位置に粒状体が衝突したとしても、同一の音質を発生させることができる。言い換えると、主楽器の演奏方法や主楽器への取り付け位置によらず同一の音質で演奏することができるため、演奏者の表現方法を制限することなく、自由な演奏を可能にすることができる。
【００１４】
本発明の楽器において、複数の前記粒状体は、大きさ又は形状の異なる少なくとも２種類以上の粒状体からなることを特徴としてもよい。こうすることにより、楽器を振動させた際、粒状体の形状や大きさによって個々の粒状体が振動する長さが異なるため、複数の粒状体が全て同じ大きさ及び同じ形状である場合と比較して、より長時間音を持続させることができる。また、大きさ又は形状が異なることにより異なる音が混じり合い、音に深みを出すことができる。
【図面の簡単な説明】
【００１５】
【図１】図１は、楽器２０を主楽器１０に取り付けた状態を示す斜視図である。
【図２】図２は、楽器２０の構成の概略を示す斜視図である。
【図３】図３は、サウンドレベルテストの比較結果を示すグラフである。
【図４】図４は、他の実施の形態の楽器１２０の構成の概略を示す斜視図である。
【図５】図５は、他の実施の形態の楽器２２０の構成の概略を示す斜視図である。
【発明を実施するための形態】
【００１６】
次に、本発明の実施の形態の一例として、楽器２０の構成について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号を付す。
【００１７】
本発明の実施の形態の一例である楽器２０は、図１に示すように、演奏の際に筐体の壁面を振動させることができる主楽器１０の壁面に取り付けて使用する。具体的には、例えば、ウクレレやギター、ヴァイオリン等の弦楽器の壁面に取り付けて使用する際には、これらの楽器を演奏中に壁面を叩く（タップする）ことにより壁面を振動させることで、楽器２０を振動させて演奏する。こうすることにより、主楽器１０の演奏中に楽器２０を演奏したり、演奏を止めたりすることができる。また、例えば、太鼓やドラム等の打楽器に使用する際には、振動面に取り付けることにより、主楽器１０を演奏すると同時に主楽器２０を演奏することができる。なお、弦楽器等に取り付ける際に振動板等に取り付けることで同時に演奏することもできるし、打楽器等に取り付ける際に演奏中に振動しない場所に取り付けることで、演奏したり、演奏を止めたりすることができる。
【００１８】
楽器２０は、図２に示すように、複数の粒状体３２が内部に収納された音発生部３０と、楽器２０を取り付ける主楽器１０の壁面を挟持する挟持部４０と、からなる。
【００１９】
音発生部３０は、樹脂等の内部が視認可能な同一の材質により、壁面の内側全体が平滑となるように形成されており、内部には複数の粒状体３２が収納されている。このため、楽器２０に振動が加えられると、音発生部３０が振動し、内部の粒状体３２が粒状体３２同士又は、音発生部３０の壁面に粒状体３２が衝突することにより音が発生する。加えて、壁面の内側全体が平滑であるため、どの場所に粒状体３２が衝突したとしても、発生する音の変化を低減することができる。言い換えると、演奏する際の音の再現性が高いため、所望の音を奏でることができる。更に、音発生部３０は、全体が略円柱形状であり、両端側が略球形形状に形成されている。このため、楽器２０が主楽器１０に対してどのような角度で取り付けられたとしても、また、主楽器１０を演奏する際に任意の方向に主楽器１０を傾けたとしても、向きによって音質が変化しにくい。また、このとき、音発生部３０は内部が視認可能な材質によって形成されているため、粒状体３２の動きを外部から視認することができる。このため、音による演出に加え、視覚的な効果を演出することができる。
【００２０】
粒状体３２は、樹脂で球状に形成されており、音発生部３０に封入されている。この粒状体３２は多角形形状であって、小さな砂状のものと直径数ミリ程度の多面体形状のものとが混合して封入されている。このため、楽器２０が振動した際には、粒状体の大きさや形状によって振動し続ける時間や音色が異なるため、同一の粒状体を封入する場合と比較して、音に深みを出すことができる。なお、この粒状体３２の大きさは、特に限定されるものではなく、小さな砂状のものであっても、直径数ミリ程度のものであってもよい。小さなものを用いた場合には、細かな音を表現することができるし、大きなものを用いた場合には、重厚な音を表現することができる。また、材質も樹脂に限定されるものではなく、木製であってもよいし、金属製であってもよい。木製のものを用いた場合には、低い音を表現することができるし、金属製のものを用いた場合には、高い音を表現することができる。加えて、形状についても砂状や多面体形状に限定されるものではなく、楕円形状であってもよいし、多角形形状であってもよい。多角形形状を採用した場合には、壁面にぶつかる角度によって衝突面が変化するため、音の種類に膨らみを持たせることができる。
【００２１】
挟持部４０は、ネオジム磁石を含む第一挟持部材４２と、ネオジム磁石を含む第二挟持部材４４と、第一挟持部材４２及び第二挟持部材４４との間に位置する鉄板製の位置決部材４６と、からなる。この第一挟持部材４２及び位置決部材４６は互いに分離して移動可能であり、第二挟持部材４４は、楽器２０の内側に固定されている。こうすることにより、第一挟持部材４２と第二挟持部材４４との間に主楽器１０の壁面を位置決めすることにより、第一挟持部材４２及び第二挟持部材４４とが、互いの磁力によって引き合うことで、主楽器１０の壁面を挟持することができる。
【００２２】
位置決部材４６は、図２に示すように、略円板形状の中央部４６ａの端部に、一対の持手部４６ｂが設けられている。この中央部４６ａは、第一挟持部材４２及び第二挟持部材４４と略同一の大きさに形成されているため、第一挟持部材４２及び第二挟持部材４４の磁力によって表面全体が引き寄せられることになるため、安定性を高めることができる。同時に、中央部４６ａの端部に設けられた一対の持手部４６ｂは、第一挟持部材４２及び第二挟持部材４４に挟持された状態でも、持手部４６ｂが挟持されることがない。このため、楽器２０を主楽器１０の壁面から取り外す際には、この持手部４６ｂを用いることで、容易に取り外すことができる。
【００２３】
ここで、主楽器１０の壁面を挟持する方法について、より詳しく説明する。主楽器１０の壁面を挟持する際には、まず第一挟持部材４２を主楽器１０の内側表面に位置決めし、第一挟持部材４２と壁面を挟んで表面側に位置決部材４６を位置決めする。こうすることにより、第一挟持部材４２の磁力によって位置決部材４６が引き寄せられ、第一挟持部材４２と位置決部材４６とが壁面の表面にそれぞれ位置決めされる。この状態で、位置決部材４６の表面側に第二挟持部材４４を近づけると、第一挟持部材４２と第二挟持部材４４とが磁力で引き合い、位置決部材４６を介して第二挟持部材４４が位置決めされる。こうすることにより、主楽器１０の壁面に容易に、かつ、主楽器１０を傷つけること無く、着脱可能に取り付けることができる。このとき、第一挟持部材４２と第二挟持部材４４とは互いの磁力で引き合っているため、壁面に沿って移動することで容易に取り付け場所を移動したり、回転させたりすることができる。演奏者が所望の位置に取り付け位置を変更することにより、音発生部３０で発生する音質を変えることができるため、演奏による表現の幅を広げることができる。
【００２４】
一方、楽器２０を取り外す際には、第一挟持部材４２及び第二挟持部材４４の外周よりも外側に位置する位置決部材４６の持手部４６ｂを主楽器１０の壁面に押圧した状態で、楽器２０を主楽器１０から遠ざける方向に移動する。こうすることにより、第一挟持部材４２と位置決部材４６とが壁面を挟んで挟持された状態で取り外すことができる。このように位置決部材４６を壁面の表面に位置したままにすることにより、取り外す際に主楽器１０の表面に楽器２０の一部が擦れ、主楽器１０の表面を傷つけてしまう可能性を低減することができる。また、再び楽器２０を主楽器１０に取り付ける際には、位置決部材４６によって第一挟持部材４２が同一の場所に位置決めされているため、同一の場所に容易に取り付けることができる。付言すると、楽器２０の取り付け位置によって楽器２０を演奏した際の音が変化するため、一度取り外した場合であっても、再び同一の音で演奏することができる。
【００２５】
次に、第二の実施の形態の楽器１２０について、図４を用いて、詳しく説明する。図４は、第二の実施の形態の楽器１２０の構成の概略を示す斜視図である。楽器１２０は、図４に示すように、略円柱形状の音発生部１３０の一面側に挟持部４０が設けられている。こうすることにより、粒状体３２が一面に広がるため、振動させた際に粒状体３２の動きが粒状体３２によって妨げられる可能性が低減し、粒状体３２を大きく動かすことができる。このため、大きな音を出すことができると共に、粒状体３２の動きによる大きな視覚的効果を得ることができる。なお、第一の実施の形態の楽器２０と同様の部分については、同様の符号を付し、ここでは説明を省略する。
【００２６】
以上詳述した本実施の形態の楽器２０によれば、楽器２０には、第一挟持部材４２及び第二挟持部材４４が備えられており、第一挟持部材４２と第二挟持部材４４が互いに磁力で引き合うことで主楽器１０の壁面を挟持することにより、楽器２０を容易に主楽器１０の壁面に取り付けることができる。こうすることにより、主楽器１０を演奏する際に主楽器１０の壁面を振動させることで、演奏による振動が楽器２０に伝わり、楽器２０の音発生部３０に収納された粒状体３２が音発生部３０と衝突し、音が発生する。こうすることで、楽器２０を手で持って演奏することなく、楽器２０を演奏することができる。また、楽器２０を直接手に持って振るのではなく、楽器２０に振動を伝えて音を出すことにより、これまで手に持って振っていた場合では表現のできなかった、新しい表現を行うことができる。
【００２７】
また、主楽器１０に楽器２０を取り付ける際には、第一挟持部材４２と第二挟持部材４４とを主楽器１０の壁面を挟んで反対側に配置し、第一挟持部材４２と第二挟持部材４４とが互いに磁力で引き合うことで楽器２０を主楽器１０に取り付けているため、取り付ける際に主楽器１０を傷つけることがない。加えて、楽器２０を主楽器１０に固定する必要がないため、取り付けた後であっても、取り付け位置の移動や取り外しを容易に行うことができる。
【００２８】
更に、第一挟持部材４２と第二挟持部材４４とで主楽器１０の壁面を挟持する際には、第一挟持部材４２と位置決部材４６とで予め壁面を挟持した後に、第二挟持部材４４を位置決部材４６に取り付けているため、取り付ける際の取り付け位置を予め定めることができる。また、取り外す際には、第一挟持部材４２及び第二挟持部材４４の外周よりも外側に位置する位置決部材４６の持手部４６ｂを主楽器１０の壁面に押圧した状態で、楽器２０を主楽器１０から遠ざける方向に移動することで、主楽器１０の表面を傷つけることなく、容易に取り外すことができる。また、再び楽器２０を主楽器１０の同じ位置に、容易に取り付けることができる。
【００２９】
更にまた、粒状体３２が収納された音発生部３０の壁面は透明な樹脂で形成されているため、内部の粒状体３２を外部から視認することができる。このため、音を鳴らす際に、音だけで無く、粒状体３２の動きによる視覚的な表現を行うことができる。
【００３０】
そして、音発生部３０は、全体が同一の材質の樹脂で形成されているため、音発生部３０のいずれの位置の壁面に粒状体３２が衝突したとしても、同一の音質の音を発生させることができる。こうすることにより、楽器２０を主楽器１０の取り付ける位置や向きにかかわらず、また、主楽器１０が取り付けられた楽器２０を演奏する姿勢にかかわらず、同一の音質の音を発生させることができる。
【００３１】
そしてまた、一端側が略球形状に形成された音発生部３０に砂状のものと多面体形状のものとが混合された粒状体３２が入れられているため、音発生部３０の壁面と粒状体３２とが衝突した際に発生する音を均一化することができる。
【００３２】
なお、本発明は上述した実施の形態に何ら限定されることはなく、本発明の技術的範囲に属する限り種々の態様で実施し得ることはいうまでもない。
【００３３】
例えば、上述した実施の形態では、第二挟持部材４４は、楽器２２０の内側に固定されているものとしたが、図５に示すように、接続部４２を介して楽器２０の外部に位置決めされるものであってもよい。こうすれば、接続部４２を一端側に位置するか、一端側と他端側との中央部に位置するかにより、主楽器１０に楽器２２０を取り付けて回転する際、音発生部３０における粒状体３２の分布状態を変化させることができる。こうすることにより、音に変化を与え、表現の幅を広げることができる。
【００３４】
上述した実施の形態では、音発生部３０は全体が均一の透明な樹脂製であるものとしたが、樹脂製に限定されるものではなく、木製や金属製であってもよいし、透明で無くとも良い。音発生部３０を木製にすれば、比較的低い音を発生させることができるし、音発生部３０を金属製にすれば、比較的高い音を高音量で発生させることができる。また、音発生部３０の材質を異なるものとすれば、粒状体３２が衝突する場所によって発生する音の音質を変更することができる。
【００３５】
上述した実施の形態では、音発生部３０は、全体が略円柱形状であり、両端側が略球形形状に形成されているものとしたが、両端側は略球形形状に限定されるものではなく、全体が略円柱形状であってもよいし、多角柱形状であってもよい。いずれの場合であっても、上述した実施の形態と同様の効果が得られる。
【００３６】
上述した実施の形態では、第一挟持部材４２及び第二挟持部材４４がネオジム磁石を含むものとしたが、ネオジム磁石に限定されるものではなく、フェライト磁石等の磁性体を用いることができ、また、第一挟持部材４２及び第二挟持部材４４のいずれか一方に磁石を含み、他方は、鉄等の金属部材を用いても良い。これらの場合であっても、上述した実施の形態と同様の効果が得られる。
【００３７】
上述した実施の形態では、主楽器１０の壁面に取り付けるものとしたが、主楽器１０の振動板等、主楽器１０の演奏に伴って振動する場所に取り付けてもよい。こうすれば、主楽器１０を演奏すると同時に、楽器２０も演奏することができる。
【００３８】
上述した実施の形態では、砂状のものと多面体形状のものとが混合された粒状体３２を用いるものとしたが、同一の形状のものや同一の大きさのものであってもよいし、３種類以上の大きさ又は形状のものを混合して用いてもよい。いずれの場合であっても、上述した実施の形態と同様の効果が得られる。
【００３９】
続いて、主楽器としてソプラノウクレレを使用し、ソプラノウクレレにアタッチして振った場合と、素手で握って振った場合の音の違いの比較について、図３を用いて詳しく説明する。ここで、図３は、サウンドレベルテストの結果を示すグラフであり、図３Ａは、ソプラノウクレレにアタッチして振った場合の音圧レベルを、図３Ｂは、素手で握って振った場合の音圧レベルを、それぞれ示している。また、測定に当たっては、アップル社製のｉＰｈｏｎｅ５（ｉＰｈｏｎｅは株式会社アイホンの登録商標）  バージョン８．３にＳｏｕｎｄ  Ｌｅｖｅｌ  Ａｎａｌｙｚｅｒ  ｒｅｖ１．２を使用し、マイクからの距離を１メートルにして２０秒間測定した結果である。
【００４０】
図３に示すように、素手で振った場合には７０ｄＢ前後であるが（図３Ａ参照）、ソプラノウクレレにアタッチして振った場合には、８０ｄＢ強の音圧レベルが得られた（図３Ｂ参照）。この結果から、ソプラノウクレレにアタッチして使用した場合の方が、より音圧レベルが強くなっていることが分かった。人間が感じる音の強さは、音圧レベルによってのみ決まるわけでは無く、音の種類や周波数帯等様々な情報によって複合的に判断されるが、発明者は、これまで素手で振った場合と比較して、２倍以上になったと体感し、音による演出を十分行うことができると考えている。このような理由として、発明者は、ソプラノウクレレにアタッチすることで、ソプラノウクレレの壁面が振動板の役割を果たし、楽器１０で演奏した音を増加させているためであると考えている。
【産業上の利用可能性】
【００４１】
上述した実施の形態で示すように、音楽分野、特に楽器に取り付け使用するシェイカーとして利用することができる。
【符号の説明】
【００４２】
１０…主楽器、２０…楽器、３０…音発生部、３２…粒状体、４０…挟持部、４２…第一挟持部材、４４…第二挟持部材、４６…位置決部材、４６ａ…中央部、４６ｂ…持手部、１２０…楽器、１３０…音発生部、２２０…楽器。
【図１】
2017003679.tif 000003
【図２】
2017003679.tif 000004
【図３】
2017003679.tif 000005
【図４】
2017003679.tif 000006
【図５】
2017003679.tif 000007